(57)【要約】【課題】引き出し扉における扉スイッチとして機械式の押釦スイッチを用いるとともに、扉スイッチの誤動作を防止し、確実な閉扉をおこなうことができる冷蔵庫を提供する。【解決手段】貯蔵室７の開口部に容器の摺動支持枠12とレール７ａによる引き出し方式によって開閉自在に設けられた扉11と、この扉の開閉による本体側開口部との離接を検知して動作する開口部近傍に設けられた圧縮コイルバネ16ｄによる押釦機構の扉スイッチ16と、扉の最終閉扉位置で本体側と係合する支持枠に設けられた自閉用傾斜12ａに続く落とし込み段落12ｂとからなり、圧縮コイルバネのバネ部の長さを長くすることで、落とし込み段落による閉扉力よりもバネ力を小さくしたことを特徴とする。【選択図】  図１
2005098558.tif 000002
【特許請求の範囲】
【請求項１】
貯蔵室の開口部に容器の摺動支持枠とレールによる引き出し方式によって開閉自在に設けられた扉と、この扉の開閉による本体側開口部との離接を検知して動作する開口部近傍に設けられた圧縮コイルバネによる押釦機構の扉スイッチと、前記扉の最終閉扉位置で本体側と係合する摺動支持枠に設けられた自閉用傾斜に続く落とし込み段落とからなり、前記圧縮コイルバネのバネ部の長さを長くすることで、前記落とし込み段落による閉扉力よりもバネ力を小さくしたことを特徴とする冷蔵庫。
【請求項２】
摺動支持枠の落とし込み段落を自閉用の緩傾斜に続く急傾斜との２段階の傾斜部で形成し、最終閉扉状態では急傾斜の落とし込み段落に係合するようにガイド突起を開口部近傍の貯蔵室底面に設けたことを特徴とする請求項１記載の冷蔵庫。
【請求項３】
押釦機構の圧縮コイルバネの基部側には、バネ内部に延出してバネの屈曲を防止する円錐突条を設けたことを特徴とする請求項１または２記載の冷蔵庫。
【発明の詳細な説明】
【技術分野】
【０００１】
本発明は、貯蔵室内に引き出し容器を設けた冷蔵庫に係り、特に引き出し容器の扉スイッチ構成に関する。
【背景技術】
【０００２】
従来、冷蔵庫の貯蔵室中、最も収納容積の大きな冷蔵室を除いて、その下方に配置されている野菜室や冷凍室などの貯蔵室は、使い勝手の面から開口部に設けた扉に支持枠を固着し、これに収納容器を載置して引き出し自在とした、いわゆる引き出し扉方式を採用することが主流となっている。
【０００３】
中でも、図７、図８に示すように、自動製氷機（59）を配置し貯氷容器（60）を備えた製氷室（57）などの比較的貯蔵容積が少なく、また開閉扉力が軽い引き出し扉における開閉扉を検知する扉スイッチ（66）は、扉（61）の内面に埋設したマグネット（70）の磁力で接点を開閉するリードスイッチタイプを採用して製氷室の開口仕切部（65）に設置されており、開扉時には扉側のマグネット（70）が扉スイッチ（66）部分から離間することでリードスイッチ（66ａ）を動作させ、冷却ファンや製氷動作を停止するように制御していた。（例えば、特許文献１参照）
【特許文献１】特開２００１−１７４１４５公報
【発明の開示】
【発明が解決しようとする課題】
【０００４】
しかしながら、前記リードスイッチ（66ａ）は高価であるばかりでなく、開口仕切部（65）における残留磁気により開扉を検知しないなど誤動作する問題がある。これを解決するためには機械式の押釦スイッチ方式を採用すればよいが、前記製氷室（57）は収納容積が小さく重量が軽いため、例えば、図９に示すように、製氷扉（61）の内板に固定した貯氷容器（60）を支持する支持枠（62）に、自閉のための傾斜（62ａ）による閉扉機構を設けていても、押釦スイッチのバネ力に対して容器を含めた扉の閉扉力が弱いことから、閉扉時の動作によっては完全に閉扉せず半ドア状態となる可能性があった。
【０００５】
また、閉扉をより確実にするために押釦スイッチのバネ力を弱くすることも考えられるが、前記バネ力は開閉による繊細な押圧動作に対応させるため、既に極限まで弱くしていることと、バネを設置している製氷室は冷凍温度であることから、その低温雰囲気によって、閉扉の後に再び開扉したときにバネが伸長状態に復帰せず、やはり誤動作が発生する問題があった。
【０００６】
本発明は上記点を考慮してなされたものであり、引き出し扉における扉スイッチとして機械式の押釦スイッチを用いるとともに、扉スイッチの誤動作を防止し、確実な閉扉をおこなうことができる冷蔵庫を提供することを目的とする。
【課題を解決するための手段】
【０００７】
上記課題を解決するために、本発明の冷蔵庫は、貯蔵室の開口部に容器の摺動支持枠とレールによる引き出し方式によって開閉自在に設けられた扉と、この扉の開閉による本体側開口部との離接を検知して動作する開口部近傍に設けられた圧縮コイルバネによる押釦機構の扉スイッチと、前記扉の最終閉扉位置で本体側と係合する摺動支持枠に設けられた自閉用傾斜に続く落とし込み段落とからなり、前記圧縮コイルバネのバネ部の長さを長くすることで、前記落とし込み段落による閉扉力よりもバネ力を小さくしたことを特徴とするものである。
【発明の効果】
【０００８】
この構成によって、リードスイッチタイプの扉スイッチにおける残留磁気による制御装置の誤動作を防ぎ、機械式押釦方式の扉スイッチの採用によってコストを低減できるとともに、コイルバネのバネ力を低減して扉スイッチ機能を保持したままで自閉力を強くすることにより確実な閉扉をおこなうことができる。
【発明を実施するための最良の形態】
【０００９】
以下、図面に基づき本発明の１実施形態について説明する。冷蔵庫要部の縦断面図である図１、および該部の斜視図である図２に示すように、冷蔵庫（１）は、外箱（２）の内面に断熱材（３）を介して設けた内箱（４）により貯蔵空間を形成し、仕切壁（５）により複数の貯蔵室に区分している。
【００１０】
本体の最上部には、ヒンジにより本体一側に回動自在に冷蔵室扉を枢支してその前面開口部を閉塞した図示しない冷蔵室を配置しており、冷蔵室の下部には、野菜などを収納する野菜室（６）、野菜室（６）の下方には、断熱仕切壁（５）を介して比較的小容積の製氷室（７）と図示しない温度切替室を併置し、最下部には冷凍食品を収納する冷凍室（８）を配している。
【００１１】
上記冷蔵室以外のこれら貯蔵室は、その前面開口を閉塞する扉の庫内側に支持枠を設け、この支持枠に保持した収納容器を各貯蔵室側壁に配置したレールによって前後摺動可能とした引き出し方式としている。
【００１２】
前記製氷室（７）は、冷蔵室に設けた給水タンクからの給水を受けて製氷する製氷皿を設けた自動製氷装置（９）を設置するとともに、製氷完了時に製氷皿を反転離氷して氷塊を受ける貯氷容器（10）を具備しており、この貯氷容器（10）は製氷室（７）の前面開口部を閉塞する製氷室扉（11）の内側に取り付けた支持枠（12）に保持されている。
【００１３】
支持枠（12）は、製氷室（７）の両側壁に配置したレール（７ａ）  内を回動するローラー（14）を後端に設け、前後方向に摺動して製氷室扉（11）と一体に引き出し自在に取り付けられている。
【００１４】
しかして、前記支持枠（12）の製氷室扉（11）近傍の下面には、概略詳細を図３に示すように、製氷室扉（11）を閉扉する最終段階で開口部近傍の貯蔵室底面に設けた円弧状のガイド突起（13）と係合して、製氷室扉（11）とともに支持枠（12）を、それら自らの重量によって自動的に閉扉させるための自閉傾斜（12ａ）を形成している。この自閉傾斜（12ａ）は前方に向かって５度程度の上り勾配を有しており、この自閉傾斜の前方に連続して１０数度のさらに前方へ１０数度の勾配を有して上る落とし込み傾斜（12ｂ）を形成している。
【００１５】
前記ガイド突起（13）は、支持枠（12）の円滑な摺動をはかるために円弧状に形成しており、製氷室底面部材と一体に形成しているが、滑りの良い別ピースによってより円滑に摺動させるようにしてもよく、さらには回転ローラを取り付けてこれに支持枠（12）を係合させるようにしてもよい。
【００１６】
したがって、閉扉の際には、製氷室扉（11）および貯氷容器（10）は、ローラー（14）がレール（７ａ）内を摺動する支持枠（12）とともに製氷室（７）の奥方に向かって移動し、最終段階では、前記自閉傾斜（12ａ）と前記ガイド突起（13）との係合によって、製氷室扉（11）は自動的に閉扉する方向に摺動し、自閉傾斜（12ａ）に続く落とし込み傾斜（12ｂ）との係合で支持枠（12）が室内後方に向かって落とし込まれることになり、これによって、自閉の引き込み力は従来の約０．７５Ｎから約２Ｎに増加し、製氷室扉（11）も後方に引き込まれて確実に閉扉するものであり、製氷室扉（11）の周縁に取り付けたガスケット（11ａ）が製氷室（７）の開口周縁に当接して製氷室（７）内を気密に閉塞する。
【００１７】
製氷室（７）の開口部における前記隣接する温度切替室との縦仕切板（15）には、扉スイッチ（16）を配設している。扉スイッチ（16）は、詳細構造を図４に示すように、機械式である押釦スイッチ方式であって、前記縦仕切板（15）から製氷装置の前方側へ突出しているスイッチ取り付け部（17）に取り付けられており、スイッチケース（16ａ）から出没する作動子（16ｂ）の移動によってケース（16ａ）内に設けた複数の接続端子（16ｃ）の接点を導通させる既存の構成であり、作動子（16ｂ）の位置により冷却ファンや製氷動作の駆動制御をおこなうものである。
【００１８】
そして、前記扉スイッチ（16）は、その作動子（16ｂ）が圧縮コイルバネ（16ｄ）により常時製氷室（７）の前方に突出するように付勢されており、製氷室扉（11）が閉扉状態にあるときは、図５に示すように、扉内板（11ｂ）が作動子（16ｂ）に当接してコイルバネ（16ｄ）の付勢力に抗してこれを後方へ押し込み、冷却ファンや製氷装置の回路を接続して所定の制御運転をおこなものであり、開扉によって扉内板（11ｂ）の押圧力が解除されると、図４に示すように、作動子（16ｂ）が前方移動して、前記冷却ファンや製氷装置の回路を遮断し、ファンの回転を停止して冷気の流出を防止するとともに製氷装置の給水や離氷回転動作をおこなわせないようにしている。
【００１９】
しかして、前記圧縮コイルバネ（16ｄ）は、前述したように、扉の閉扉力に対して強いことから、そのバネ力を従来より低くする必要がある。バネ力を低減するにはコイルの径を大きくすることも考えられるが、扉スイッチ（16）のコイルバネ（16ｄ）は作動子（１６ｂ）に内部に嵌入して伸縮するものであり、径が大きい作動子が開扉時に製氷室などの貯蔵室の表面に露出することは外観意匠上好ましいものではない。
【００２０】
本発明においては、バネ力を従来より低動作にして反発力を減らすために、コイル径とコイル巻き数を同等にして長さ寸法のみを長くしている。前記により低減したバネ力は、前記支持枠（12）の落とし込み傾斜（12ｂ）とガイド突起（13）との係合による引き込み力によって約２Ｎに増加させた閉扉力よりも小さくすることができる。
【００２１】
しかしながら、バネ長を長くした結果として、スイッチケース（16ａ）内におけるバネの座屈が発生し易くなり動作不良やケースと接触することによる異音が起こることがあるため、本実施例では、コイルバネ（16ｄ）の後端基部にバネのコイル内に延出するように円錐形状の突条（17）設けて座屈を防止している。
【００２２】
この円錐突条（17）により、バネ長さが長くなってもコイルバネ（16ｄ）は、ケース内で確実に保持されることになり、且つ、バネ力を低減できるので、小さく軽量の扉であってもバネの反発力によって扉が完全に閉まらず、半ドア状態になることを未然に防ぐことができるものである。
【００２３】
そして、閉扉状態から製氷室扉（11）を引き出し、開扉した場合には、扉スイッチ（16）は扉内板（11ｂ）による押圧力が解除されるため作動子（16ｂ）がコイルバネ（16ｄ）の復元力によって前方に摺動し、接続端子（16ｃ）の接点を切換導通して冷却ファンの回転とともに製氷動作を停止させるものである。
【００２４】
再び閉扉する場合には、製氷室扉（11）のガスケット（11ｂ）が製氷室（７）の開口部に当接する間際に、図６に示すように、扉内板（11ｂ）がスイッチ（16）の作動子（16ｂ）に接触してこれを後方へ押圧することになる。同時にレール（７ａ）内を摺動する支持枠（12）の自閉傾斜（12ａ）がガイド突起（13）に係合して製氷室内側に引き込まれ、さらに傾斜角度の大きい落とし込み傾斜（12ｂ）によって落とし込まれることで、図１に示す所定の位置となって確実に閉扉し、スイッチ（16）の作動子（16ｂ）も所定位置に押し込まれて制御動作を切り換えることになる。
【００２５】
本発明は上記のように構成されており、リードスイッチを使用しないので、コストを低減できるとともに仕切板のの残留磁気によって誤動作することがなく、コイルバネのバネ力を低減して押釦式の扉スイッチ機能を保持したままで扉の自閉力を強くすることにより確実な閉扉をおこなうことができる。
【００２６】
なお、上記実施例においては、製氷室扉（11）を例にして説明したが、本発明の対象はこれに限るものではなく、野菜室や冷凍室など、他の引き出し式扉の扉スイッチや摺動支持枠構成にも適用できることは言うまでもない。
【産業上の利用可能性】
【００２７】
本発明によれば、貯蔵室の開口を開閉自在に閉塞する引き出し式扉の扉スイッチの動作、および閉扉を確実におこなうことができる冷蔵庫に利用することができる。
【図面の簡単な説明】
【００２８】
【図１】本発明の１実施形態を示す冷蔵庫要部の縦断面図である。
【図２】図１の斜視図である。
【図３】図１における閉扉状態の支持枠部分の拡大図である。
【図４】図１における扉スイッチの詳細構造を示す一部切欠した斜視図である。
【図５】図４のスイッチ作動子が押し込まれた状態を示す斜視図である。
【図６】製氷室扉の閉扉間際の状態を示す図１と同一部分の縦断面図である。
【図７】従来の製氷室の扉スイッチ部分を示す分解斜視図である。
【図８】図７の縦断面図である。
【図９】図８における支持枠の自閉機構を示す側面図である。
【符号の説明】
【００２９】
１  冷蔵庫
７  製氷室
７ａ  レール
９  自動製氷装置
10  貯氷容器
11  製氷室扉
11ａ  ガスケット
12  支持枠
12ａ  自閉傾斜
12ｂ  落とし込み傾斜
13  ガイド突起
14  ローラー
15  縦仕切板
16  扉スイッチ
16ａ  スイッチケース
16ｂ  作動子
16ｃ  接続端子
16ｄ  コイルバネ
17  円錐突条
【図１】
2005098558.tif 000003
【図２】
2005098558.tif 000004
【図３】
2005098558.tif 000005
【図４】
2005098558.tif 000006
【図５】
2005098558.tif 000007
【図６】
2005098558.tif 000008
【図７】
2005098558.tif 000009
【図８】
2005098558.tif 000010
【図９】
2005098558.tif 000011